(57)【要約】    【課題】透視窓にくもり防止剤を塗布しない場合に、くもりを防止することができるように、くもり防止機能がある物質で随時に繰り返し交換することができるように構成されたスイムゴーグル用くもり止め具を提供する。    【解決手段】透明な合成樹脂で形成されて、スイムゴーグルの透視窓４に対応する形状に形成される本体１０と、本体１０の透視窓４の反対側面に形成されて、くもり防止機能がある物質を塗布して形成されるくもり防止層２０と、本体１０の透視窓４に向かった面に形成されて、接着物質を塗布して形成される接着層３０と、接着層３０の表面に容易に分離されるように付着される離型紙４０と、本体１０の端部の一側から突出して一体に伸びるつまみ部５０とを含む、スイムゴーグル用くもり止め具。【選択図】図１
2011517291.tif 000002
【特許請求の範囲】
【請求項１】
透明な合成樹脂で形成されて、スイムゴーグルの透視窓に対応する形状に形成される本体と、
前記本体の透視窓の反対側面に形成されて、くもり防止機能がある物質を塗布して形成されるくもり防止層と、
前記本体の透視窓に向かった面に形成されて、接着物質を塗布して形成される接着層と、
前記接着層の表面に容易に分離されるように付着される離型紙と、
前記本体の端部の一側から突出して一体に伸びるつまみ部とを含む、スイムゴーグル用くもり止め具。
【請求項２】
前記つまみ部は、スイムゴーグルのフレームの高さより短く形成する、請求項１に記載のスイムゴーグル用くもり止め具。
【請求項３】
前記つまみ部は、スイムゴーグルのフレームの高さより長く形成して、フレームの端部を囲むように形成する、請求項１に記載のスイムゴーグル用くもり止め具。
【請求項４】
前記つまみ部は、１〜８ヶ所に形成する、請求項１に記載のスイムゴーグル用くもり止め具。
【請求項５】
前記くもり防止層が製造、運搬、設置中に損傷されたり汚染されるのを防止するために、くもり防止層上に設置される保護フィルムをさらに含む、請求項１に記載のスイムゴーグル用くもり止め具。
【請求項６】
前記本体は、０．１〜０．８ｍｍの厚さに形成する、請求項１に記載のスイムゴーグル用くもり止め具。
【発明の詳細な説明】
【技術分野】
【０００１】
本発明は、スイムゴーグル用くもり止め具に関するものであって、より詳しくは、スイムゴーグルの透視窓の内面がくもるのを防止して、交換が容易で、構造が簡単であり、製造原価及び費用が節減される、スイムゴーグル用くもり止め具に関するものである。
【背景技術】
【０００２】
一般に、スイムゴーグルは、水泳や水遊びをする時に、目に水が入るのを防止して、目を開けた状態を維持するために着用し、両目に各々一つの透視窓を各々対応させて設置する両眼方式に主に構成する。
【０００３】
そして、スイムゴーグルは、顔及び目の周囲の形状に沿って鼻側は高さが低く耳側は高さが高く形成される一対のフレームと、前記フレームの前面に各々設置される透視窓と、前記フレームの顔と接する端部（後面側端部）に結合されて、水が目側に入るのを防止するパッキング部材と、前記一対のフレームを鼻側で互いに連結する鼻かけと、前記一対のフレームを耳側で互いに連結して、頭の後方を囲んで着用された状態を維持する着用ひもとから構成される。
【０００４】
前記で、透視窓及び鼻かけは、フレームと一体に形成したり、別途に形成して組み立てる方式に形成される。
【０００５】
前記のように構成されるスイムゴーグルを着用して水泳や水遊びをする場合、透視窓の内面が外部及び内部の温度差によってくもる現象が発生する。つまり、透視窓の外部は水と接して温度が下がる反面、透視窓の内部は密閉された空間で体温によって温度が上がるので、必然的に透視窓の内面がくもるようになる。
【０００６】
前記のように透視窓の内面がくもったり、水滴がたまるようになると、前方がくもって見えたり、全く見えなくなるので、スイムゴーグルをはずして透視窓の内面のくもりや水気を除去して再び着用する過程を経なければならず、これを随時に繰り返し行わなければならないので、非常にわずらわしい。
【０００７】
したがって、最近は、透視窓の内面にくもり防止剤を塗布したスイムゴーグルが開発されて、一般的に提供されていている。
【０００８】
しかし、透視窓の内面にくもり防止剤を塗布したスイムゴーグルは、透視窓の内面のついた水気を除去するために拭く過程、または水がついて繰り返し乾燥される過程で、塗布されたくもり防止剤が部分的に除去される現象が発生し、塗布されたくもり防止剤が部分的に除去される場合、くもり防止機能の低下が速い速度で全体に波及する。したがって、透視窓の内面に塗布されたくもり防止剤の機能が短時間に消滅する現象が発生し、製造時に塗布されたくもり防止剤が除去された後には、消費者がほとんど毎回くもり防止剤を塗布しなければならないので、不便である。さらには、くもり防止剤及び透視窓の材質の間の化学反応によって透視窓が部分的に白く変化する白化現象が発生して、スイムゴーグルの寿命が短縮される。
【発明の概要】
【発明が解決しようとする課題】
【０００９】
本発明の目的は、このような問題を解決するためのものであって、透視窓にくもり防止剤を塗布しない場合に、くもりを防止することができるように、くもり防止機能がある物質で随時に繰り返し交換することができるように構成されたスイムゴーグル用くもり止め具を提供することである。
【課題を解決するための手段】
【００１０】
本発明が提案するスイムゴーグル用くもり止め具は、透明な合成樹脂で形成されて、スイムゴーグルの透視窓に対応する形状に形成される本体と、前記本体の透視窓の反対側面に形成されて、くもり防止機能がある物質を塗布して形成されるくもり防止層と、前記本体の透視窓に向かった面に形成されて、接着物質を塗布して形成される接着層と、前記接着層の表面に容易に分離されるように付着される離型紙と、前記本体の端部の一側から突出して一体に伸びるつまみ部を含んで構成される。
【００１１】
前記つまみ部は、スイムゴーグルのフレームの高さより短く形成することもでき、スイムゴーグルのフレームの高さより長く形成して、フレームの端部を囲むように形成することもできる。
【００１２】
前記つまみ部は、１ヶ所にだけ形成することもでき、２〜８ヶ所に形成することもできる。
【００１３】
そして、本発明のスイムゴーグル用くもり止め具は、前記くもり防止層が製造、運搬、設置中に損傷されたり汚染されるのを防止するために、くもり防止層上に設置される保護フィルムをさらに含むこともできる。
【００１４】
本発明によるスイムゴーグル用くもり止め具によれば、離型紙を分離した後、スイムゴーグルの透視窓に一側端部から接着して付着することによって設置が完了し、つまみ部をつかんだ状態ではがすことによって透視窓から分離することができるので、随時に容易に交換することができる。
【発明の効果】
【００１５】
本発明によるスイムゴーグル用くもり止め具によれば、くもり防止層の耐久性を従来の着用者がくもり防止剤を透視窓に直接塗布するのに比べて十分に長く確保することができるので、わずらわしさを避けることができて、非常に効率的である。例えば、従来の着用者がくもり防止剤を透視窓に直接塗布する場合には、ほとんど毎回塗布作業を新たに行わなければならないが、本発明の場合には、３０日以上使用する場合にもくもり防止層が十分な機能を発揮するので、着用者の便宜性が増大される。
【００１６】
また、本発明によるスイムゴーグル用くもり止め具によれば、つまみ部を形成して保護フィルムを設置するので、運搬したり透視窓に付着する過程でくもり防止層が汚染されたり損傷されるのを防止することができる。
【００１７】
そして、本発明によるスイムゴーグル用くもり止め具によれば、透視窓に別途のくもり防止剤を塗布しなくてもくもりを防止することができるので、くもり防止剤及び透視窓の材質の間の化学反応によって発生する白化現象を予防することができ、スイムゴーグルの耐久性を大きく増大させることができる。
【図面の簡単な説明】
【００１８】
【図１】本発明によるスイムゴーグル用くもり止め具の第１実施例を示した斜視図である。
【図２】本発明によるスイムゴーグル用くもり止め具の第１実施例を示した断面図である。
【図３】本発明によるスイムゴーグル用くもり止め具の第１実施例を適用したスイムゴーグルを示した斜視図である。
【図４】本発明によるスイムゴーグル用くもり止め具の第１実施例をスイムゴーグルの透視窓に付着する過程を示した断面図である。
【図５】本発明によるスイムゴーグル用くもり止め具の第２実施例を示した斜視図である。
【図６】本発明によるスイムゴーグル用くもり止め具の第２実施例をスイムゴーグルの透視窓に付着した状態を示した断面図である。
【図７】本発明によるスイムゴーグル用くもり止め具の第３実施例を示した斜視図である。
【図８】本発明によるスイムゴーグル用くもり止め具の第３実施例をスイムゴーグルの透視窓に付着した状態を示した断面図である。
【図９】本発明によるスイムゴーグル用くもり止め具の第４実施例を示した斜視図である。
【発明を実施するための形態】
【００１９】
それでは、本発明によるスイムゴーグル用くもり止め具の好ましい実施例を、図面を参照して詳細に説明する。
【００２０】
まず、本発明によるスイムゴーグル用くもり止め具の第１実施例は、図１乃至図３に示したように、本体１０、くもり防止層２０、接着層３０、離型紙４０、つまみ部５０を含んで構成される。
【００２１】
そして、本発明によるスイムゴーグル用くもり止め具の第１実施例が適用されるスイムゴーグルは、図３に示したように、一対のフレーム２、前記フレーム２の前面側（顔の反対側）に各々設置される透視窓４、前記フレームの後面側（顔と接する側）端部に結合されて、水が内部に入るのを防止するパッキング部材６、前記一対のフレームを鼻側で互いに連結する鼻かけ３、前記一対のフレーム２を耳側で互いに連結して、頭の後方を囲んで着用された状態を維持する着用ひも８からなる。
【００２２】
前記で、スイムゴーグルの具体的な構成や構造は一般的に販売される多様な形状及び構造を適用することができるので、詳細な説明は省略し、本発明は、スイムゴーグルの構造及び形状に対しては特に限定しない。
【００２３】
前記本体１０は、透明な合成樹脂で形成する。例えば、ポリカーボネート樹脂、ポリアセテート樹脂、ポリエチレンテレフタレート樹脂などを単独で使用したり、２種以上を一体に融着して使用することもできる。
【００２４】
前記本体１０は、０．１〜０．８ｍｍの厚さに形成することによって、十分な強度を維持して、付着する過程で透視窓４のレンズ面との密着度を高く維持することができ、気泡がない状態に付着することができる。
【００２５】
前記で、本体１０の厚さが薄すぎると、適切な強度を維持することができずに、付着作業が非常に難しくなる。また、前記本体１０の厚さが厚すぎると、強度が大きくて、柔軟な付着作業が難しくて、全体的な透明度が低下して、可視距離が短くなって、視認性が悪化するという問題がある。
【００２６】
前記本体１０は、スイムゴーグルの透視窓４のレンズ面の形状に対応する形状に形成する。
【００２７】
前記くもり防止層２０は、前記本体１０の透視窓４の反対側面に形成される。
【００２８】
前記くもり防止層２０は、くもり防止機能がある物質（例えば、Ａｎｔｉ−ｆｏｇ剤など）を塗布して形成される。
【００２９】
前記くもり防止層２０は、くもり防止機能がある物質を塗布した後、赤外線や紫外線などを利用して硬化させる過程を行うので、水や他の物体と接しても容易に損傷されたりはがれないように形成することができる。つまり、本発明の実施例においては、シート状の本体１０にくもり防止層２０を形成するので、くもり防止機能がある物質を塗布した後、硬化させる過程で接着力を増大させるための後処理を行うことができるので、くもり防止層２０の耐久性を十分に確保することができる。
【００３０】
前記のように形成したくもり防止層２０は、１日１時間ずつ使用する場合に３０日以上くもり防止機能が十分に発揮される。
【００３１】
前記くもり防止層２０は、視認性を低下させないように、透明度が高い物質を選定して使用するのが好ましい。前記くもり防止層２０を形成するためのくもり防止機能がある物質は、一般に、スイムゴーグルや自動車のガラス、航空機のガラス、実験室のガラスなどに使用される多様な成分の物質を適用して実施することができるので、詳細な説明は省略する。
【００３２】
そして、前記くもり防止層２０が製造、運搬、設置中に損傷されたり汚染されるのを防止するために、くもり防止層２０上に保護フィルム６０をさらに設置することもできる。
前記保護フィルム６０は、スイムゴーグル２の透視窓４に付着する直前や付着が完了した後にはがして廃棄する。
【００３３】
前記接着層３０は、前記本体１０の透視窓４に向かった面（透視窓４と接する面）に形成される。
【００３４】
前記接着層３０は、接着物質を塗布して形成される。
【００３５】
前記で、接着層３０を形成する接着物質としては、接着力が小さくて容易に貼ったりはがすことができる物質（例えば、ポストイット、マジックテープ(登録商標)、セロハンテープなどに使用される接着剤など）を使用するのが、交換時に透視窓４のレンズ面に接着物質の一部が残る現象を防止することができるので好ましい。
【００３６】
前記接着層３０は、視認性を低下させないように、透明度が高い接着物質を選定して使用するのが好ましい。前記接着層３０を形成する接着物質は、公知の物質を適用して実施することができるので、詳細な説明は省略する。
【００３７】
前記離型紙４０は、前記接着層３０の表面に容易に分離されるように付着される。
【００３８】
前記離型紙４０は、前記接着層３０に異物や埃などが付着するのを防止して、手で触る場合に指紋が形成されて透視度が低下するのを防止するために使用する。
【００３９】
前記離型紙４０は、スイムゴーグルの透視窓４に付着する直前にはがして廃棄する。
【００４０】
前記つまみ部５０は、前記本体１０の端部の一側から突出して一体に伸びて形成される。
【００４１】
前記つまみ部５０は、四角形に突出するように形成することもでき、三角形や台形、半円形、楕円形、花びら形、ハート形、クローバー形、十字形などの多様な形状に突出して形成することもできる。
【００４２】
前記つまみ部５０は、１ヶ所にだけ形成することもでき、２〜８ヶ所に形成することもできる。
【００４３】
前記のようにつまみ部５０を形成すれば、前記本体１０をスイムゴーグルの透視窓４に付着する過程で繰り返しはがして付着する作業を容易に行うことができる。例えば、前記本体１０をスイムゴーグルの透視窓４に付着する過程で気泡が形成される場合には、視認性が低下して、前方を注視する時に妨害要素として作用するが、一度に気泡が全くない状態に前記本体１０を透視窓４に付着するのは非常に難しいので、気泡が形成される場合には、付着された部分の一部を再びはがした後、気泡がなく密着された状態に再び付着する過程を繰り返し行うようになる。
【００４４】
前記つまみ部５０は、図４に示したように、スイムゴーグルのフレーム２の高さより短く形成することもできる。
【００４５】
また、本発明によるスイムゴーグル用くもり止め具の第２実施例は、図５及び図６に示したように、前記つまみ部５０を前記本体１０の一側にはスイムゴーグルのフレーム２の高さより長く形成して、フレーム２の端部を囲むように形成し、他側にはスイムゴーグルのフレーム２の高さより短く形成することもできる。
【００４６】
前記のように、つまみ部５０を長く形成して、フレーム２の端部を囲むように形成するようになると、パッキング部材６によってつまみ部５０がフレーム２に密着固定されるので、つまみ部５０がフレーム２の側面から浮き上がる現象が防止されて、つまみ部５０が視野を遮る恐れが全くない。
【００４７】
そして、本発明によるスイムゴーグル用くもり止め具の第３実施例は、図７及び図８に示したように、前記つまみ部５０をスイムゴーグルのフレーム２の端部の上面まで覆う長さで前記本体１０の両側に形成することもできる。
【００４８】
また、本発明によるスイムゴーグル用くもり止め具の第４実施例は、図９に示したように、前記つまみ部５０をスイムゴーグルのフレーム２の端部の上面まで覆う長さで前記本体１０の一側にだけ形成することもできる。
【００４９】
前記つまみ部５０は、前記第１実施例乃至第４実施例の構成を多様に組み合わせて形成することができ、その数も１〜２個に限定されず、３〜８個まで形成することもできる。
【００５０】
前記では、本発明によるスイムゴーグル用くもり止め具の好ましい実施例について説明したが、本発明はこれに限定されず、特許請求の範囲、発明の詳細な説明、及び添付した図面の範囲内で多様に変形して実施することができ、これも本発明の範囲に属する。
【符号の説明】
【００５１】
２  フレーム
３  鼻かけ
４  透視窓
６  パッキング部材
８  着用ひも
１０  本体
２０  くもり防止層
３０  接着層
４０  離型紙
５０  つまみ部
【図１】
2011517291.tif 000003
【図２】
2011517291.tif 000004
【図３】
2011517291.tif 000005
【図４】
2011517291.tif 000006
【図５】
2011517291.tif 000007
【図６】
2011517291.tif 000008
【図７】
2011517291.tif 000009
【図８】
2011517291.tif 000010
【図９】
2011517291.tif 000011
【国際調査報告】
2011517291.tif 000012
2011517291.tif 000013
2011517291.tif 000014